(57)【要約】【課題】          本発明の目的は、光学用部品の包装方法を提供することである。【解決手段】          上記の目的を達成するために、本発明は光学用部品の包装方法において、先の光学用部品を第一の樹脂フィルムの上に載置し、光学用部品を覆うように第二の樹脂フィルムをのせて光学用部品を包装し、かつ前記の第一の樹脂フィルムと第二の樹脂フィルムの光学部品の在る側の面の少なくともいずれかの一方の樹脂フィルムの表面が弱粘着性であることを特徴とし、また、第一の樹脂フィルムと第二の樹脂フィルムはシート状もしくはリール状であることを特徴とし、また、光学用部品を包装する第一の樹脂フィルムと第二の樹脂フィルムは、容易に裁断することが出来る材質より成り、また寸法形状の異なる該光学用部品を包装することが出来ることを特徴として目的を達成する。【選択図】  図１
2005075381.tif 000002
【特許請求の範囲】
【請求項１】
光学用部品の包装方法において、
該光学用部品を第一の樹脂フィルムの上に載置し、該光学用部品を覆うように第二の樹脂フィルムをのせて該光学用部品を包装し、かつ該第一の樹脂フィルムと該第二の樹脂フィルムの該光学部品の在る側の面の少なくともいずれかの一方の樹脂フィルムの表面が弱粘着性であることを特徴とする光学用部品の包装方法。
【請求項２】
該第一の樹脂フィルムと該第二の樹脂フィルムはシート状もしくはリール状であることを特徴とする請求項１に記載の光学用部品の包装方法。
【請求項３】
該光学用部品を包装する該第一の樹脂フィルムと該第二の樹脂フィルムは、容易に裁断することが出来る材質より成り、かつ寸法形状の異なる該光学用部品を包装することが出来ることを特徴とする請求項１に記載の光学用部品の包装方法。
【請求項４】
該第一の樹脂フィルムと該第二の樹脂フィルムは一体で、折り返した形状を成して該光学用部品を包装することを特徴とする請求項１に記載の光学用部品の包装方法。
【発明の詳細な説明】
【技術分野】
【０００１】
光学用部品を工程内で移動するときや客先への出荷時に、例えば水晶などの圧電結晶材料などの高屈折率材料から成る光学用部品が破損しないように、安全に確実に搬送することができる光学用部品の包装方法であり、数種類の形状寸法の異なる光学用部品であっても同一の包装を共有することができる包装方法に関する。
【背景技術】
【０００２】
主に圧電結晶材料などから成る光学用部品は、主に映像機器の映像取り入れ部にあたるレンズを通して映像として入力された光を分離するために用いられる高屈折率を持った複屈折板や光学フィルターやガラスのような基材が透明の薄板である。このような光学用部品は、映像機器に入力する光線を分離する役目といった重要な機能を持っているために、その製造工程における光学用部品の加工精度は大変厳しいものであり、構造的にも複数枚の薄板を張り合わせたひとつの光学フィルターである光学用部品を構成する製造工程においても、非常に精密で細緻なその主面の表面処理が行われている。
【０００３】
従って、製造工程における光学用部品は非常に慎重にかつ丁寧に取り扱われ、また、製造工程には光学用部品である光学用フィルターとしてのその機能を最大限に発揮させるために、光学用フィルターの光を通過させる主面に反射防止等の効果をもたせた表面処理加工を行うなど、化学薬品や真空蒸着による表面コーティングが行われる場合がある。
【０００４】
上述のような種々の製造工程を通過して光学用部品の製造が行われることから、工程間を移動するときの光学用部品の包装容器を用いた保持収納方法は、図５に示すような光学用部品を個々に窪みに挿入する形状をとっており、材質的にもその包装容器の材質は光学用部品にくらべて柔く、また非常に簡易な構造となっている。また、光学用部品の包装容器のコストを抑えるために、例えば工程内での搬送と製品の出荷時に同一の包装容器を使用することが望ましいことや、光学用部品の寸法もその使用目的や用途により多種多様化する傾向があることから、光学用部品を安全にかつ確実にその汚染から保護して輸送するために、より取り扱いが容易で、汚染防止の効果が高く、包装容器自体からの発塵のない包装方法が必要とされているのが現状である。
【０００５】
【特許文献１】特開２００１−１５８４９４号公報
【０００６】
なお、出願人は前記した先行技術文献情報で特定される先行技術文献以外には、本発明に関連する先行技術文献を、本件出願時までに発見するに至らなかった。
【発明の開示】
【発明が解決しようとする課題】
【０００７】
前述するように、光学用部品は製造工程に用いる包装容器と、客先への出荷に用いる包装容器と、包装容器自体の管理が必要となっていることと、光学用部品の寸法形状について様々な多品種化の強い傾向があることにより、光学用部品の搬送トレーに見られるように包装容器の収納部寸法を変えることが出来る包装容器を使用するなど、包装に用いる容器の構造も、また包装容器自体の管理も複雑となってきている。しかしながら、従来の包装容器による光学用部品の搬送は要するに、光学用部品の収納部形状が窪み状である包装容器の凹部収納部に個々に光学用部品を落とし込むような形状であるために、製造の工程途中やそのほかの搬路における包装容器の経時的な乾燥と相まって、搬送される個々の光学用部品が、包装容器の窪み状の凹部収納部の形状より小さいために凹部収納部のなかで頻繁に動き包装容器の表面を磨耗し、その結果包装容器の素材から発塵を起こす可能性があるといった問題があった。
【０００８】
また、光学用部品の取り扱いを考慮して上述の包装容器の凹部収納部には図６、及び図７に示すように光学用部品と包装容器のあいだに隙間があるために、光学用部品が包装容器の中で動いてしまうことから、光学用部品の角部などでカケやワレといった破損が起こる可能性があるといった問題があった。
【０００９】
また、光学用部品の凹部形状が窪み状である包装容器の凹部収納部に個々に光学用部品を落とし込むような形状であるために、一度入ったほこりや塵などが外に排出されず、包装容器の凹部収納部の底部に溜まる可能性があるといった問題があった。
【００１０】
また、最近の光学用部品は大きな板から小さく個割りした切断品が大勢を占めている。小さく個割りした切断品の端面は粗研磨を施した状態であり、従ってその切断面からは原材料の圧電結晶材料である水晶の粉などが、光学用部品の梱包の後、輸送中に包装容器内の空間を舞い、その結果光学用部品の表面に付着して汚染となる可能性があるといった問題があった。
【００１１】
本発明は、以上のような技術的背景のもとでなされたものであり、従ってその目的は、光学用部品の包装方法を提供することである。
【課題を解決するための手段】
【００１２】
上述する課題を解決するために本発明は、光学用部品の包装方法において、
該光学用部品を第一の樹脂フィルムの上に載置し、該光学用部品を覆うように第二の樹脂フィルムをのせて該光学用部品を包装し、かつ該第一の樹脂フィルムと該第二の樹脂フィルムの該光学部品の在る側の面の少なくともいずれかの一方の樹脂フィルムの表面が弱粘着性であることを特徴とする。
【００１３】
また、本発明の光学用部品の包装方法は、先の第一の樹脂フィルムと第二の樹脂フィルムはシート状もしくはリール状であることを特徴とする。
【００１４】
また、本発明の光学用部品の包装方法は、先の光学用部品を包装する前記第一の樹脂フィルムと第二の樹脂フィルムは、容易に裁断することが出来る材質より成り、また寸法形状の異なる光学用部品を包装することが出来ることを特徴とする。
【発明の効果】
【００１５】
本発明の包装方法により、包装材が工程でも出荷梱包用としても共用できることで包装材を補充する製作コストが大幅に削減できた。
【００１６】
また、本発明の包装方法により、製造工程間で使用する包装材と出荷時に使用する包装材自体の共用が可能となり、個々に寸法が異なり多品種化する光学用フィルターといった光学用部品を容易に包装することが出来ることにより、包装材の管理を著しく容易とすることが出来、加えて包装材のコストを著しく抑制することが出来た。
【００１７】
また、光学用部品の切断面からの発塵も大幅に低減出来ることにより、光学用部品の汚染を防止し、その品質向上と歩留まりの著しい向上が実現出来た。
【発明を実施するための最良の形態】
【００１８】
以下、添付図面に従ってこの発明の実施例を説明する。なお、各図において同一の符号は同様の対象を示すものとする。
【実施例１】
【００１９】
図１は本発明の包装方法により板状の光学用部品１が包装された様子を示す概略の斜視図である。図２に示されるように、少なくとも光学用部品１が在る側の一方の面が弱粘着性をもった樹脂フィルム３上に包装する光学用部品１を載置して、樹脂フィルム３を光学用部品１の上方から光学用部品１を覆うように包装する。本発明の包装方法では樹脂フィルム３を使用するために、光学用部品１と樹脂フィルム３は磨耗を起こさず発塵がない。光学用部品１の切断面からふるい落ちる場合のある水晶の粉も光学用部品１の主面が樹脂フィルム３により覆われているために、主面に着くことがない。また、弱粘着性の樹脂フィルム３のうえに光学用部品１は、軽く貼りついているために、光学用部品１は動くことがなく主面以外の切断面からの水晶の粉のふるい落ちをも非常に僅少におさえることが出来る。弱粘着性の樹脂フィルム３の弱粘着面４は、ふるい落ちる場合のある光学用部品１の切断面からの水晶の粉を捕らえる効果も持ち合わせるものである。ここで、本発明で使用される樹脂フィルムには静電気対策が施されており、樹脂フィルムを剥がした状態でも周囲の微小なチリやホコリなどをその表面に集めないように成っている。
【００２０】
図２は本発明の包装方法により、少なくとも一方の光学用部品１の在る側の面が弱粘着性の樹脂フィルム３の上に載置された、板状の光学用部品１が包装される様子を示す概略の側面図である。図２に示されるように光学用部品１を覆うように包装する、樹脂フィルム３を容易に繰り返し貼り返すことが出来るものである。
【００２１】
図３は本発明の包装方法により、弱粘着性をもつ樹脂フィルム３の上に載置された、複数の板状の光学用部品１が包装される様子を示す概略の側面模式図である。樹脂フィルム３は透明でも色が着いていても良いが、透明であれば包装する個々の、様々な寸法や形状をした光学用部品１を観察しながら安全に効率よく包装することが出来、また包装された光学用部品１を包装材の外側から確認することも出来る。本発明では、包装される光学用部品１の載置される樹脂フィルム３は、包装される光学用部品１を貼り付け固定する働きをもっており、また光学用部品１を覆うように貼り付けられる上方の樹脂フィルム３は、外部からの埃や汚れから光学用部品１を保護する埃よけの働きをもっている。
【実施例２】
【００２２】
図４は本発明の包装方法により複数の板状の光学用部品１がリール状に包装され、対向する包装材の長辺方向の端部に送り孔５があけられた、別の実施例の形態を示す概略の斜視図である。なお、本図４はリール状に巻かれた本発明の包装方法の一部を示すものである。図４は本発明によりリール状に巻かれる光学用部品１の一部を示したものであるが、図４に示されるように、同じ形状の多数の光学用部品１が部品の自動搭載装置を用いて基板や機器などに搭載する際は、帯状に加工した本発明品の長辺側の両端部に送り孔５をあけて、自動搭載装置に装填することもできる。
【００２３】
なお、本発明の樹脂フィルムに裁断する際などの印と成る線やスケールがはいっていても一向に構わず、この場合も本発明の技術的範囲にはいることは言うまでもない。
【００２４】
図５は従来のひとつの搬送トレーである包装容器２に複数の光学用部品１が収納される様子を示す概略の斜視図である。従来の包装方法では、窪み状の凹部を成す搬送トレーの収納部にひとつずつ個々に光学用部品１を納めるといった形状をしていた。
【００２５】
図６は従来の包装方法において、ひとつの窪み状の凹部収納部に板状の光学用部品１が収納される様子を示す概略の側面模式図である。また、図７は従来の包装方法において、ひとつの窪み状の凹部収納部に板状の光学用部品１が収納される様子を示す光学用部品１の主面方向からみた概略の正面模式図である。図６、及び図７に示されるように、包装容器２と収納される光学用部品１のあいだには隙間６があるために、搬送中に光学用部品１が窪み状の凹部収納部の中で動き光学用部品１の角部などでカケやワレといった破損が起こる可能性があるといった問題があった。また、光学用部品１の収納部形状が窪み状である包装容器２の凹部収納部に個々に光学用部品１を落とし込むような形状であるために、一度凹部収納部に入ったほこりや塵などが外に排出されず、包装容器７の凹部収納部の底部に溜まる可能性があるといった問題があった。
【００２６】
なお、本発明の実施例１、及び２においては包装する部品は光学用部品を取り挙げたが、例えば圧電部品である圧電振動子のブランクであるとか、主面を保護する必要のある部品の場合においても、本発明の効果を奏することは言うまでもない。
【００２７】
また、本発明の光学用部品の包装方法において、第一の樹脂フィルムと第二の樹脂フィルムは一体で、折り返した形状を成したものである場合においても、本発明の技術的範囲に含まれることは言うまでもない。
【図面の簡単な説明】
【００２８】
【図１】本発明の包装方法により複数の板状の光学用部品が包装される様子を示す概略の斜視図である。
【図２】本発明の包装方法により、樹脂フィルムの粘着面の上に載置された板状の光学用部品が包装される様子を示す概略の側面図である。
【図３】本発明の包装方法により、樹脂フィルムの粘着面のうえに載置された、複数の板状の光学用部品が包装される様子を示す概略の側面模式図である。
【図４】本発明の包装方法により複数の板状の光学用部品がリール状の包装材で包装され、長辺方向の対向する両端部に送り孔があけられた、別の実施例の形態を示す概略の斜視図である。
【図５】従来のひとつの包装容器に複数の光学用部品が収納される様子を示す概略の斜視図である。
【図６】従来の包装方法において、ひとつの窪み状の凹部に板状の光学用部品が収納される様子を示す概略の側面模式図である。
【図７】従来の包装方法において、ひとつの窪み状の凹部に板状の光学用部品が収納される様子を示す光学用部品の主面方向からみた概略の正面模式図である。
【符号の説明】
【００２９】
１  光学用部品
２  包装材
３  樹脂フィルム
４  弱粘着面
５  送り孔
６  隙間
７  包装容器
【図１】
2005075381.tif 000003
【図２】
2005075381.tif 000004
【図３】
2005075381.tif 000005
【図４】
2005075381.tif 000006
【図５】
2005075381.tif 000007
【図６】
2005075381.tif 000008
【図７】
2005075381.tif 000009